(57)【特許請求の範囲】
【請求項１】
利用者情報を保有するサーバと接続され、
利用者により操作されたマイレージカード又はＩＣカードから利用者を特定するとともに予約情報を確認し、これに基づいて少なくとも省電力モードとなっているユニットによる搭乗券発券の要否、現金処理の要否又は領収書発行の要否のいずれかを判定し、前記ユニットについて前記省電力モードから復帰させるか否かを判定する制御部を有することを特徴とするチェックイン端末。
【請求項２】
通常時は利用者によって操作されるチェックイン端末であって、利用者による操作がないときは省電力モードに設定される省電力ユニット部を備えたチェックイン端末において、
前記省電力ユニット部への通電により省電力モードから起動可能となるのに要する準備時間を格納する起動準備時間記憶部と、
前記利用者の操作内容から、前記省電力ユニット部の復帰の要否を判定し、復帰の判定があったときは、前記起動準備時間記憶部に格納した前記準備時間前に前記省電力ユニット部への通電を開始する制御部を有することを特徴とするチェックイン端末。
【請求項３】
前記省電力ユニット部は、利用者に対して発券を行う発券部又は利用者に対して現金の入出金を行う現金処理部であることを特徴とする請求項１記載のチェックイン端末。
【請求項４】
前記利用者の前記操作内容とは、利用者のカードを読み取って利用者を特定する動作又は予約情報を確認する動作であることを特徴とする請求項２記載のチェックイン端末。
【発明の詳細な説明】
【技術分野】
【０００１】
本発明は、利用者が航空機利用のチェックインを行うためのチェックイン端末に関するものである。
【背景技術】
【０００２】
従来、空港等に設置されるチェックイン端末は、チェックイン機能に加え、紙媒体の航空券や搭乗券を発券する機能が備えられている。ところが最近ではマイレージカードや携帯電話を使った搭乗手続きが主流となっており、このような利用者に対しては、紙媒体の航空券や搭乗券の発行は行わない。また、チェックイン端末によって航空券を発行する際に、クレジットカードによって決済を行う利用者に対しては、現金の取り扱いは行わない。
【０００３】
一方、利用者が操作するチェックイン端末は、利用者が操作していないときは省電力モードとし、利用者が操作を開始するときは省電力モードから回復させるものが一般的である。特開２０００−２５９８９４号公報（特許文献１）には、自動取引装置の省エネモードからの機能回復に関して、利用者が取引を選択すると省エネモードの解除を開始するとともにシーケンスを切り替え、媒体の搬送を行う媒体搬送手段を立ち上げ、その間に利用者に顧客情報を入力させようとする技術が記載されている。
【０００４】
また、省電力モードからの回復の場合、端末の全ての機能について回復処理が行われていたため、利用者によっては必要としない機能に関するユニットに対しても電源投入が行われ、その結果、無駄な電力を消費していた。これについて、特開２００６−３３３０５９号公報（特許文献２）には、複合装置の省エネ対策に関し、省エネモードからの復帰要因が発生すると、省エネモード状態にある各種機能手段のうち、当該復帰要因に応じた機能手段のみを省エネモードから復帰させて、消費電力を適切に削減する技術が記載されている。
【先行技術文献】
【特許文献】
【０００５】
【特許文献１】特開２０００−２５９８９４号公報
【特許文献２】特開２００６−３３３０５９号公報
【発明の概要】
【発明が解決しようとする課題】
【０００６】
しかしながら、特許文献１による技術によれば、利用者の待ち時間を短縮するという効果は得られるが、シーケンスを切り替えるため、通常時の操作手順と省電力モードからの復帰時の操作手順とで大きく異なってしまうという問題がある。即ち、操作手順が異なってしまうことは、利用者の利便性を損なうおそれがある。特に、利用回数が多く操作慣れした利用者は、操作手順を記憶している場合が多く、操作画面の情報を読まないで操作できるので、そのような利用者に対してモードに応じて手順が異なる画面を表示させた場合には、利用者に混乱をきたすことが考えられる。
【０００７】
また、特許文献２による技術によれば、複合装置のどのような機能を使用するかを判別するための具体的な操作を利用者が行ってから、省電力モードからの復帰が行われるため、利用者が復帰に時間のかかる機能を選択する場合には、復帰まで利用者を待たせることになるという問題がある。
【０００８】
本発明が解決しようとする課題は、通常時は利用者によって操作されるチェックイン端末であって、利用者による操作がないときは省電力モードに設定される省電力ユニット部を備えたチェックイン端末において、省電力モードから起動可能となる通常モードへ復帰するとき、操作手順を変更することなく、かつ、利用者が復帰に時間のかかる機能を選択しても復帰まで利用者を待たせることもないチェックイン端末を提供することを可能とするものである。
【課題を解決するための手段】
【０００９】
上記課題を解決するために本発明に関するチェックイン端末は、利用者情報を保有するサーバと接続され、利用者により操作されたマイレージカード又はＩＣカードから利用者を特定するとともに予約情報を確認し、これに基づいて少なくとも省電力モードとなっているユニットによる搭乗券発券の要否、現金処理の要否又は領収書発行の要否のいずれかを判定し、前記ユニットについて前記省電力モードから復帰させるか否かを判定する制御部を有することを特徴とするものである。
【発明の効果】
【００１０】
上記構成を有する本発明によれば、少なくとも前記省電力ユニット部としての搭乗券発券の要否、現金処理の要否又は領収書発行の要否のいずれかを判定し、前記ユニットについて前記省電力モードから復帰させるか否かを判定する制御部を設けたので、省電力モードから通常モードへ復帰するとき、操作手順を変更することなく、かつ、利用者が復帰に時間のかかる機能を選択しても復帰まで利用者を待たせることもないチェックイン端末を提供することが可能になる。
【図面の簡単な説明】
【００１１】
【図１】第１の実施の形態に関するチェックイン端末１を示す外観図である。
【図２】第１の実施の形態に関するチェックインシステムの構成を示すブロック図である。
【図３】第１の実施の形態に関するチェックイン端末１の内部構成を示す説明図である。
【図４】第１の実施の形態に関するチェックイン端末１のブロック図である。
【図５】第１の実施の形態に関するチェックイン端末１の制御を示すブロック図である。
【図６】第１の実施の形態に関するチェックイン端末の動作を示すフローチャートである。
【図７】同じくチェックイン端末の動作を示すフローチャートである。
【図８】同じくチェックイン端末の動作を示すフローチャートである。
【発明を実施するための形態】
【００１２】
＜第１の実施の形態＞
以下、本発明の第１の実施の形態について説明する。図２は第１の実施の形態に関するチェックインシステムの構成を示すブロック図である。同図において、チェックイン端末１は、空港のターミナルや鉄道の主要駅等に複数設置され、利用者の操作によって、チェックイン手続を行うためのものである。紙媒体を使ったチェックイン手続とマイレージカードや携帯電話等の電子媒体を使ったチェックイン手続とが可能である。更に、チェックイン端末１は、紙媒体の航空券や搭乗券を発券する機能が備えられている。
【００１３】
紙媒体を使ったチェックイン手続において使用する航空券には、磁気部がついており、データが磁気記録されている。航空券記載の情報は、顧客の氏名等の個人情報、会員情報、航空便の発着年月日、発着地等である。チェックイン手続の際にこの航空券の磁気部を読み取り、チェックインサーバ３と通信を行うことによりチェックイン手続を行い、搭乗券に搭乗データを記録する。電子媒体を使ったチェックイン手続の場合、チェックイン手続が済んだことをこれらの電子媒体に書き込む。なおその後、搭乗者は、図示しない検査ゲートで搭乗券を提示し、身体磁気検査及び手荷物のＸ線検査を受ける。そして、搭乗改札ゲートで搭乗券の磁気部から搭乗データを読取り、搭乗の登録を行うことになる。
【００１４】
顧客情報サーバ２は、利用者の氏名等の個人情報、マイレージクラブの会員情報、現状の搭乗券の予約情報等が格納されている。チェックインサーバ３は、チェックイン端末１からの予約情報の照会を受け、顧客情報サーバ２にこの情報を送って予約情報の確認を行う。顧客情報サーバ２は予約情報として記録されているかどうか確認し、確認するとチェックインサーバ３に回答する。チェックインサーバ３は予約情報の確認が得られると、現時点の年月日時刻とチェックイン端末を特定する端末番号を記録し、チェックイン端末１に回答する。チェックインサーバ３は更に、予約されている搭乗券に対し、チェックイン手続が行われたかどうか、更に、どのチェックイン端末でチェックイン手続が行われたかの情報が格納されている。
【００１５】
運賃サーバ４は、航空機各便についての日付や種別に対応した運賃の情報が格納されている。配布サーバ５は、チェックイン端末１のプログラム更新時に、アップデートモジュールを複数のチェックイン端末１に配布する。これらはＬＡＮ６を介して接続されている。
【００１６】
図１は第１の実施の形態に関するチェックイン端末１を示す外観図であり、図３は同じくチェックイン端末１の内部構成を示す説明図である。図３（ａ）は正面から見た説明図、図３（ｂ）は側面から見た説明図である。
【００１７】
操作表示部１１は、タッチパネル式の画面表示部からなり、利用者に対してチェックイン手続や航空券販売のための情報を表示し、利用者の選択入力を受け付ける。更に、操作表示部１１は、チェックイン手続が済んだ場合、チェックイン手続が済んだことを利用者に表示する。ステータスランプ１２は、チェックイン端末１の状態に応じてランプの色や点灯タイミングが変化し、チェックイン端末１の状態を利用者に知らせるためのものである。
【００１８】
発券部１３は、紙媒体の場合の航空券又は搭乗券を発券し、更に現金取引の場合の領収書を発行する。発券部１３は紙媒体の移動のための機構部分を有するため、利用者による操作がないときは省電力モードに設定される省電力ユニット部を構成する。
【００１９】
磁気カードリーダ部１４は、利用者によって挿入されるクレジットカード又はマイレージカードからクレジットカード番号又はマイレージカード番号を読み取る。読み取った情報は後述する装置制御部８の制御によって、チェックイン手続又は発券手続に利用される。磁気カードリーダ部１４は大きな機構部分を必要としないため、省電力モードには設定されない。係員呼出ボタン１５は、チェックイン手続や発券手続において、利用者が係員を呼び出す際に使用される。
【００２０】
紙幣部１６及び硬貨部１７は、現金による発券手続において、利用者による現金の入金と釣銭の出金を行う現金処理部２６である。紙幣部１６は紙幣収納部、紙幣搬送部、紙幣挿入返却口を有し、硬貨部１７は硬貨収納部、硬貨搬送部、硬貨挿入返却口を有する。紙幣部１６及び硬貨部１７は、現金の移動のための機構部分を有するため、利用者による操作がないときは省電力モードに設定される省電力ユニット部を構成する。
【００２１】
二次元ＢＣＲ１８は、ネットワークを使用した予約によって、予約情報が印刷された二次元バーコードを読み取るバーコードリーダである。二次元バーコードによる予約情報は普通紙に印刷される場合と、携帯電話にダウンロードされる場合がある。読み取った予約情報は後述する装置制御部８の制御によって、チェックイン手続又は発券手続に利用される。二次元ＢＣＲ１８は大きな機構部分を必要としないため、省電力モードには設定されない。
【００２２】
非接触ＩＣＲＷ部１９は、利用者がＩＣカードをかざすことにより、ＩＣカードに登録されている利用者のクレジットカード番号又はマイレージカード番号を読み取るための非接触のリーダライタである。読み取った情報は後述する装置制御部８の制御によって、チェックイン手続又は発券手続に利用される。非接触ＩＣＲＷ部１９は大きな機構部分を必要としないため、省電力モードには設定されない。
【００２３】
テンキー２１は、利用者が暗証番号等を入力するときに使用される数字入力キーである。利用者による操作中に、外部からキーが目視できないように構成されている。近接センサ２２は、チェックイン端末１の前面に設けられ、利用者がチェックイン端末１に接近していることを感知し、装置制御部８へ出力する。
【００２４】
図４は第１の実施の形態に関するチェックイン端末１のブロック図である。電源部２３は、装置制御部８の制御に基づいて、チェックイン端末１の各部に電源を供給し又は遮断する。ネットワーク接続部２５は、ＬＡＮ６を介して前記各種サーバと接続されており、装置制御部８の制御により、航空券の販売やチェックイン手続に必要な情報の送受信を行う。現金処理部２６は、前述のように紙幣部１６及び硬貨部１７からなる。その他図１と同じ符号のものは同一構成のものである。装置制御部８は前記各部と接続され、図示しない記憶部に格納されたプログラムの命令によって、各部の動作を制御する。そして、装置制御部８は、後述するように少なくとも省電力モードとなっているユニットによる搭乗券発券の要否、現金処理の要否又は領収書発行の要否のいずれかを判定する。
【００２５】
図５は第１の実施の形態に関するチェックイン端末１の制御を示すブロック図である。起動準備時間記憶部３１は、省電力ユニット部としての発券部１３及び現金処理部２６について、その通電により省電力モードから通常モードへ復帰するのに要する準備時間を格納する。起動準備時間記憶部３１に格納された準備時間は、復帰制御部８１によって読み取られる。なお、省電力モードとは、搬送ベルトや搬送ローラの回転部品を駆動するモータの回転を停止している状態をいう。更に、準備時間とは、装置制御部８からの起動準備信号により、搬送ローラや搬送ベルトの駆動用モータを駆動し又は駆動の準備をして、搬送ローラや搬送ベルトが安定した速度に回転可能にさせるまでの時間である。準備時間を経て通常モードになると、装置制御部８の起動信号により、省電力ユニット部としての発券部１３及び現金処理部２６は発券又は現金処理の動作を開始する。
【００２６】
復帰判定部３２は、復帰制御部８１の制御により、利用者の操作内容をチェックして、前記省電力ユニット部の復帰の要否を判定する。即ち、利用者の操作内容とは、利用者の後述する属性及び操作手順である。
【００２７】
チェックイン時間記憶部３３は、利用者が行うチェックイン時間において最低限必要な時間を記憶する。チェックイン時間記憶部３３によって記憶されたチェックイン時間は、復帰制御部８１によって読み取られる。なお、チェックイン時間において最低限必要な時間とは、紙媒体を使ったチェックイン手続と、電子媒体を使ったチェックイン手続について、チェックイン端末１からクレジットカード番号又はマイレージカード番号等の情報をネットワーク接続部２５を介して送信してから、予約情報の確認が取れチェックイン手続が行われたことを受信するまで時間である。復帰制御部８１は、起動準備時間記憶部３１、復帰判定部３２、チェックイン時間記憶部３３を制御する。
【００２８】
図６乃至図８は第１の実施の形態に関するチェックイン端末の動作を示すフローチャートである。以下、第１の実施の形態に関するチェックイン端末の動作を説明する。
図６におけるＳ１：チェックイン端末１が起動されると、装置制御部８は電源部２３を制御し、省電力ユニット部としての発券部１３及び現金処理部２６について、省電力モードを開始する。
【００２９】
Ｓ２：利用者が操作表示部１１のタッチパネル式の画面表示部を操作すると、装置制御部８はこれを検知する。画面表示部には、「チェックイン手続」「航空券購入」「その他」が表示され、利用者はこの内いずれかを選択する。また、利用者が非接触ＩＣカードを非接触ＩＣＲＷ部１９にかざす場合、又は利用者が二次元バーコードを二次元バーコードＢＣＲ１８にかざす場合は、装置制御部８はこれを検知する。
【００３０】
Ｓ３：装置制御部８はこれにより、利用者の操作内容を検出する。「チェックイン手続」を選択した場合はステップ４へ進み、「航空券購入」の場合はステップ２１へ進み、「その他」の場合はステップ４１へ進む。なお、制御部は、利用者が非接触ＩＣカード又は二次元バーコードをかざす場合は「チェックイン手続」を選択したものと扱う。
【００３１】
Ｓ４：「チェックイン手続」が選択された場合、装置制御部８は、次の２つの動作に分けられる。即ち、利用者によって非接触ＩＣカード又は二次元バーコードがかざされた場合、装置制御部８は、非接触ＩＣＲＷ部１９又は二次元バーコードＢＣＲ１８を制御して、クレジットカード番号又はマイレージカード番号或いは予約情報を読み取る。また、ステップ２において、画面表示部から、利用者によって「チェックイン手続」が選択された場合は、装置制御部８は、操作表示部１１を制御し、利用者に対し非接触ＩＣカード又は二次元バーコードをかざすこと、又はマイレージカードを挿入することを促す。更に、利用者に対し、テンキー２１を使って予約番号の入力をするよう促す。そして、装置制御部８はクレジットカード番号又はマイレージカード番号或いは予約情報を読み取る。
【００３２】
Ｓ５：装置制御部８は、ステップ４で利用者から入手した利用者の予約情報等から、利用者がマイレージ会員であるか、利用者が保有しているチェックイン可能媒体が紙媒体かそれ以外か、また今回の予約がどのような手段で行われたかといった利用者の属性を判別する。
【００３３】
Ｓ６：ステップ５で判断した属性に基づき、装置制御部８は、今回の利用者に対し紙媒体の航空券の発行が必要であるかどうかを判定する。そして航空券を発行する場合、発券部１３は省電力モードとなっているので、装置制御部８の復帰制御部８１は、復帰判定部３２を制御することにより、発券部１３の復帰を判定する。なお、Ｗｅｂによる座席予約が済んでいる場合は「否」とし、その他の場合は「要」と判定する。
【００３４】
Ｓ７：紙媒体の航空券の発行が必要であると判定された場合、装置制御部８は省電力モードになっている航空券の発券部１３について、起動準備信号を出して起動準備を行う。即ち、装置制御部８は、電源部２３を制御し、省電力ユニット部としての航空券の発券部１３に対し通電を開始する。なお、省電力ユニット部に対する起動準備は、即座に開始しない。即ち、装置制御部８は復帰制御部８１を制御し、チェックイン時間記憶部３３から次工程のチェックイン手続で最低限必要な時間を読み出し、更に、起動準備時間記憶部３１から省電力モードから通常モードへ復帰するのに要する準備時間を読み出し、両者を比較する。そして例えば、次工程のチェックイン手続で最低限必要な時間を約５０秒間とし、発券部１３を復帰するのに要する準備時間を約２０秒間とする場合、復帰制御部８１は復帰判定部３２を制御することにより、先に次工程のチェックイン手続を開始し、その後約３０秒後に発券部１３の起動準備を開始することを決定する。省電力ユニット部に対する起動準備を即座に開始させないことにより、省電力に寄与することができる。
【００３５】
Ｓ８：装置制御部８は、ネットワーク接続部２５とＬＡＮ６を介して、前記チェックインサーバ３と通信を行い、予約情報の確認を行い、チェックイン手続を行う。
Ｓ９：装置制御部８は、発券部１３に対し起動信号を出し、航空券の発券動作を行う。
Ｓ１０：装置制御部８は、操作表示部１１を制御することにより、利用者により選択された手続が完了したことを表示する。
【００３６】
Ｓ１１：ステップ６において紙媒体の航空券の発行が不要と判定するとき、装置制御部８は、ネットワーク接続部２５とＬＡＮ６を介して、前記チェックインサーバ３と通信を行い、予約情報の確認を行い、チェックイン手続を行う。チェックイン手続が完了すると、ステップ１０へ進む。
【００３７】
Ｓ１２：チェックイン手続完了後、装置制御部８は、図示しない時計手段を制御し、利用者によって操作が行われていないアイドル状態での経過時間を計測する。所定の経過時間の経過前に利用者による操作を検出した場合はステップ２へ進み、所定の経過時間を経過した場合はステップ１３へ進む。
【００３８】
Ｓ１３：装置制御部８は現金処理部２６を制御し、省電力モードに切り替える。なお、予め省電力モードになっている場合は、その状態が継続される。
Ｓ１４：装置制御部８は発券部１３を制御し、省電力モードに切り替える。なお、予め省電力モードになっている場合は、その状態が継続される。その後、ステップ１へ進む。
【００３９】
図７におけるＳ２１：ステップ３において利用者が「航空券購入」を選択した場合、装置制御部８は操作表示部１１を制御し、利用者に対し航空券購入手続を行わせる。即ち、利用者に対し、航空券購入に必要な情報である搭乗者氏名、年齢、性別、日付、区間、便名、購入クラス、購入種別、購入者人数等を操作表示部１１又はテンキー２１に入力するよう促す。また、利用者がマイレージ会員である場合には、利用者に対し、マイレージカードを挿入又はかざすよう促す。
【００４０】
Ｓ２２：装置制御部８は、これら利用者の航空券購入情報に基づいて、ネットワーク接続部２５を制御し、顧客情報サーバ２との間で通信を行う。制御部は、顧客情報サーバ２との間で通信の結果、利用者がマイレージ会員であるか、利用者がチェックイン可能媒体を保有しているか、また保有している場合にはそれがどのようなものであるかの利用者の属性を判別する。
【００４１】
Ｓ２３：ステップ２２で判別された属性に基づき、装置制御部８は、今回の利用者に対し紙媒体の航空券の発行が必要であるかどうかを判定する。そして、航空券を発行する場合、発券部１３は省電力モードとなっているので、装置制御部８の復帰制御部８１は、復帰判定部３２を制御することにより、発券部１３の復帰を判定する。Ｗｅｂによる座席予約が済んでいる場合は「否」とし、その他の場合は「要」と判定する。
【００４２】
Ｓ２４：紙媒体の航空券の発行が必要であると判定した場合、装置制御部８は省電力モードになっている航空券の発券部１３について、起動準備信号を出して起動準備を行う。即ち、装置制御部８は、電源部２３を制御し、省電力ユニット部としての航空券の発券部１３に対し通電を開始する。なお、省電力ユニット部に対する起動準備は、即座に開始しない。即ち、装置制御部８の復帰制御部８１は、チェックイン時間記憶部３３から次工程のチェックイン手続で最低限必要な時間を読み出し、更に、起動準備時間記憶部３１から省電力モードから通常モードへ復帰するのに要する準備時間を読み出し、両者を比較する。そして例えば、次工程のチェックイン手続で最低限必要な時間を約５０秒間とし、発券部１３を復帰するのに要する準備時間を約２０秒間とする場合、復帰制御部８１は復帰判定部３２を制御することにより、先に次工程のチェックイン手続を開始し、その後約３０秒後に発券部１３の起動準備を開始することを決定する。
【００４３】
Ｓ２５：今回の利用者が購入する航空券が確定すると、装置制御部８は、操作表示部１１を制御し、支払い方法の選択画面を表示し、支払い方法を利用者に選択させる。装置制御部８は、利用者が現金を選択したと判定した場合は、ステップ２６へ進み、現金でない場合はステップ２８へ進む。
【００４４】
Ｓ２６：ステップ２５で支払い方法が現金であることが確認されると、現金処理部２６が省電力モードになっている場合は、装置制御部８は電源部２３を制御し、省電力ユニット部としての現金処理部２６に対し通電を行い、起動のための準備を開始する。
【００４５】
Ｓ２７：装置制御部８は、現金処理部２６に対し起動信号を出し、利用者に対し現金による支払い処理を行う。
Ｓ２８：装置制御部８は、ネットワーク接続部２５とＬＡＮ６を介して、前記チェックインサーバ３と通信を行い、予約情報の確認を行い、チェックイン手続を行う。
ステップ２５において、支払い方法を現金以外を選択した利用者に対しては、このチェックイン手続の中で決済を行う。
【００４６】
Ｓ２９：チェックイン手続が完了すると、装置制御部８は、発券部１３に対し起動信号を出し、航空券の発券動作を行う。その後、ステップ１０へ進む。
Ｓ３０：ステップ２３において、紙媒体の航空券の発行が不要であると判定した場合、装置制御部８は、操作表示部１１を制御し、支払い方法の選択画面を表示し、支払い方法を利用者に選択させる。装置制御部８は、利用者が現金を選択したと判定した場合は、ステップ３１へ進み、現金でない場合はステップ３３へ進む。
【００４７】
Ｓ３１：ステップ３０で支払い方法が現金であることが確認されると、現金処理部２６が省電力モードになっている場合は、装置制御部８は電源部２３を制御し、省電力ユニット部としての現金処理部２６に対し通電を行い、起動のための準備を開始する。
【００４８】
Ｓ３２：装置制御部８は、現金処理部２６に対し起動信号を出し、利用者に対し現金による支払い処理を行う。
Ｓ３３：装置制御部８は、ネットワーク接続部２５とＬＡＮ６を介して、前記チェックインサーバ３と通信を行い、予約情報の確認を行い、チェックイン手続を行う。
ステップ３０において、支払い方法について現金以外を選択した利用者に対しては、このチェックイン手続の中で決済を行う。その後、ステップ１０へ進む。
【００４９】
図８におけるＳ４１：ステップ３において利用者が「その他」を選択した場合、装置制御部８は、操作表示部１１を制御し、詳細な手続項目の選択画面を表示し、利用者に対し具体的な手続を選択することを促す。利用者により選択される手続が「領収書発行」の場合はステップ４２へ進み、「その他の手続」の場合はステップ４４へ進む。
【００５０】
Ｓ４２：「領収書発行」が選択された場合、領収書の発券部１３が省電力モードになっている場合は、装置制御部８は電源部２３を制御し、省電力ユニット部としての発券部１３に対し通電を行い、起動のための準備を開始する。
【００５１】
Ｓ４３：その後、装置制御部８は、領収書の発券部１３に起動信号を出し、利用者に対し領収書の発行処理を行う。その後、ステップ１０へ進む。
Ｓ４４：ステップ４１において、「その他の手続」が選択された場合、装置制御部８は関係する各部を制御し、その他の手続を実施する。その後、ステップ１０へ進む。
【００５２】
なお、ステップ２６及び３１において、省電力ユニット部としての現金処理部２６への起動のための準備を開始し、次のステップ２７及び３２において、直ちに現金処理部２６へ現金支払い処理を行うこととしたが、その間に他の図示しない手続がある場合は、装置制御部８は、現金処理部２６への起動のための準備の開始を遅らせるように制御してもよい。即ち、装置制御部８の復帰制御部８１は、起動準備時間記憶部３１から現金処理部２６が復帰するのに要する準備時間を読み出し、更に図示しない記憶部から図示しない手続に要する時間を読み出す。復帰制御部８１は復帰判定部３２を制御することにより、両者を比較し前者の方が短い場合には、現金処理部２６への起動のための準備の開始を遅らせることを決定する。これにより省電力に寄与することができる。
【００５３】
以上、第１の実施の形態によれば、前記省電力ユニット部への通電により省電力モードから起動可能となるのに要する準備時間を格納する起動準備時間記憶部と、前記利用者の操作内容から、前記省電力ユニット部の復帰の要否を判定し、復帰の判定があったときは、前記起動準備時間記憶部に格納した前記準備時間前に前記省電力ユニット部への通電を開始する制御部を設けたので、省電力ユニット部への通電は必要最小限時間となるため、電力消費量を大幅に削減することができる。特に、チェックイン端末は各空港に多量の台数が設置されるため、トータルの電力削減量は大きなものになる。
【符号の説明】
【００５４】
１      チェックイン端末
８      装置制御部
１３    発券部
１６    紙幣部
１７    硬貨部
２３    電源部
３１    起動準備時間記憶部
３２    復帰判定部
３３    チェックイン時間記憶部
８１    復帰制御部
【図１】
0005445228.tif 000002
【図２】
0005445228.tif 000003
【図３】
0005445228.tif 000004
【図４】
0005445228.tif 000005
【図５】
0005445228.tif 000006
【図６】
0005445228.tif 000007
【図７】
0005445228.tif 000008
【図８】
0005445228.tif 000009